(57)【要約】【課題】      操作部がリ−ル本体を握持保持する手の指から離れた、操作もしやすい位置に設けられた魚釣用リ−ルを提供することである。【解決手段】  左側側板３はフレ−ム１の左側枠部１ｂの外側にリング部材４と細いＯリングと太いＯリングを介して取り付けられてフレ−ム１に対して着脱可能である。  制動装置の制動力を調節する回動制動体６の中心ａ′は、反ハンドル側左側側板３の中心ａより上方ｂでかつ後方ｃに偏倚配置した位置に回転操作可能に設けられ、回動制動体６の操作部６ａは、反ハンドル側左側側板３に穿設された円弧状の案内孔３ｇに挿入されて左側側板３の表面に突出されている。【選択図】        図３
2008182915.tif 000002
【特許請求の範囲】
【請求項１】
リ−ル本体の側板間に回転自在に支持したスプ−ルの過回転を防止する制動装置を備え、該制動装置の制動力を調節する回動制動体の操作部を反ハンドル側の側板に揺動操作可能に設けた魚釣用リ−ルにおいて、前記リ−ル本体の軸方向視外形の中心に対して上方かつ後方に偏倚配置したスプ−ルを有するスプ−ル軸を揺動中心として揺動操作される前記操作部を、反ハンドル側の側板に形成した案内孔を介して側板外方に突設したことを特徴とする魚釣用リ−ル。
【請求項２】
前記操作部と該操作部により操作される制動装置は、リ−ル本体を構成するフレ−ムに着脱可能な側板に設けられていることを特徴とする請求項１記載の魚釣用リ−ル。
【発明の詳細な説明】
【技術分野】
【０００１】
本発明は、リ−ル本体の側板間に回転自在に支持したスプ−ルの釣糸放出時の過回転によるバックラッシュ現象を防止する制動装置を備えた魚釣用リ−ルに関する。
【背景技術】
【０００２】
釣糸放出時に、釣糸の引き出し速度よりスプ−ルの回転速度が速くなる（過回転）と、バックラッシュ現象が生じて糸絡みや食い込み等の不具合が発生するために、このスプ−ル過回転現象を自動的に防止する制動装置を、殆どのキャステングリ−ルに装備されている。
そして、この制動装置の制動力を、側板の外表面から突出した操作具を、外部から回転操作することで調節可能としたものが、例えば、特許文献１で知られている。
特許文献１で制動力を調節する側板の外表面から突出する操作具は、反ハンドル側の側板（カバ−）の中央前方側の上下方向に形成した円弧状長孔に沿って移動操作される構成となっているので、リ−ル本体を握持保持する手の指に近接する位置となって触れ易くて制動位置を変化させてしまう恐れがあると共に、操作具が手に当たって違和感が生じ保持性に劣る、等の課題が残されている。
【特許文献１】特公昭６２−３８５３６号公報
【発明の開示】
【発明が解決しようとする課題】
【０００３】
解決しようとする問題点は、制動力を調節する操作具は、反ハンドル側の側板（カバ−）の中央前方側の上下方向に形成した円弧状長孔に沿って移動操作される構成となっているので、リ−ル本体を握持保持する手の指に近接する位置となって触れ易くて制動位置を変化させてしまう恐れがあると共に、操作具が手に当たって違和感が生じ保持性に劣る等の問題がある。
【０００４】
本発明の目的は前記欠点に鑑み、操作部がリ−ル本体を握持保持する手の指から離れた、操作もしやすい位置に設けられた魚釣用リ−ルを提供することである。
【課題を解決するための手段】
【０００５】
本発明の請求項１は、リ−ル本体の側板間に回転自在に支持したスプ−ルの過回転を防止する制動装置を備え、該制動装置の制動力を調節する回動制動体の操作部を反ハンドル側の側板に揺動操作可能に設けた魚釣用リ−ルにおいて、前記リ−ル本体の軸方向視外形の中心に対して上方かつ後方に偏倚配置したスプ−ルを有するスプ−ル軸を揺動中心として揺動操作される前記操作部を、反ハンドル側の側板に形成した案内孔を介して側板外方に突設したことを要旨とするものである。
本発明の請求項２は、前記操作部と該操作部により操作される制動装置は、リ−ル本体を構成するフレ−ムに着脱可能な側板に設けられていることを要旨とするものである。
【発明の効果】
【０００６】
本発明の請求項１によれば、制動装置の制動力を調節する回動制動体を、スプ−ル軸位置である反ハンドル側左側側板３の中心より上方かつ後方に偏倚配置した位置に回転操作可能に設けてこの回動制動体に操作部を設ける構成として案内孔より操作部を突出させたので、握持保持する手の指が接触し難い位置となり、制動位置を変化させてしまう不具合や操作部が手に当たって違和感が生じ保持性を低下させてしまう等の問題が解消される。
請求項２によれば、リ−ル本体側の制動装置及び操作部を、フレ−ムに着脱可能な側板に一体的にユニット化できるので、組み込み性及びメンテナンス性が向上する。
【発明を実施するための最良の形態】
【０００７】
リ−ル本体Ａはフレ−ム１とフレ−ム１の両側枠部１ａ、１ｂに取り付けられた右側側板２と左側側板３で構成されている。
左側側板３はフレ−ム１の左側枠部１ｂの外側にリング部材４と細いＯリング１０と太いＯリング１１を介して取り付けられてフレ−ム１に対して着脱可能である。
制動装置Ｂの制動力を調節する回動制動体６は、反ハンドル側左側側板３の中心ａより上方ｂ（リ−ル脚１ｍと反対側方向）でかつ後方ｃ（釣糸繰出し方向と反対側の方向）に偏倚配置した位置に回転操作可能に設けられ、回動制動体６の操作部６ａは、反ハンドル側左側側板３に穿設された円弧状の案内孔３ｇ、３ｍ、３ｎに挿入されて左側側板３の表面に突出されている。
【実施例１】
【０００８】
以下、図示の実施例によって本発明を説明すると、図１から図５は第１実施例で魚釣用リ−ルを魚釣用両軸受型リ−ルで述べると、図１は魚釣用リ−ルの断面平面図、図２は魚釣用リ−ルの反ハンドル側の拡大平面図、図３は魚釣用リ−ルの反ハンドル側の外観側面図と一部拡大外観側面図、図４は魚釣用リ−ルの反ハンドル側のフレ−ムの一部断面側面図と要部拡大一部断面側面図、図５は魚釣用リ−ルのハンドル側の拡大平面図である。
【０００９】
リ−ル本体Ａはフレ−ム１とフレ−ム１の両側枠部１ａ、１ｂに取り付けられた右側側板２と左側側板３で構成されている。
右側側板２はフレ−ム１の右側枠部１ａに直接取り付けられたり、左側側板３のようにリング部材を介して取り付けられる。
左側側板３はフレ−ム１の左側枠部１ｂの外側にリング部材４と細いＯリング１０と太いＯリング１１を介して取り付けられてフレ−ム１に対して着脱可能である。
左側側板３には外周の内側に外方に開口した浅い凹部３ａを有する突出部３ｂが形成されて浅い凹部３ａ内に細いＯリング１０が嵌められている。
浅い凹部３ａは左側側板３の外周と同芯円状にある。
フレ−ム１の左側枠部１ｂの外周には突出部１ｃと段部１ｄが形成されて突出部１ｃの外周にねじ部１ｅが形成されている。
ねじ部１ｅにはリング部材４の内側に形成されたねじ部４ａが螺合される。
リング部材４の内径は左側側板３の外径に嵌まる寸法に形成されている。
左側側板３がフレ−ム１の左側枠部１ｂに取り付けられる時次のように太いＯリング１１で保持されると共に、リング部材４で細いＯリング１０を押圧して取り付けられる。
【００１０】
左側側板３の内側には浅い凹部３ａを有する突出部３ｂを一側とする図１、図２で下側の他側の突出部３ｃが形成されている。
突出部３ｃの右側には段部３ｄで筒部３ｅが形成され、筒部３ｅ外周に太いＯリング１１が嵌合されている。
フレ−ム１の左側枠部１ｂにはスプ−ル５のフランジ部５ａが緩く嵌合される透孔１ｆが形成されている。
透孔１ｆ位置の外側に突出部１ｇと段部からなる凹部１ｈが形成されている。
段部からなる凹部１ｈに太いＯリング１１が嵌合される。
突出部３ｃと筒部３ｅの内側には大径の凹部３ｆが形成されると共に左側側板３の外側表面に向けて円弧状の案内孔３ｇが穿設されている。
大径の凹部３ｆ内には同芯円状の突出部３ｈが形成されている。
突出部３ｈの外周には段部で筒部３ｉが形成されて筒部３ｉ外周に制動装置Ｂの磁石１２が嵌合固定されている。
筒部３ｉの内側にはスラスト軸受板１４とカラ−１５と軸受１６が収容されている。
軸受１６にはスプ−ル軸１７の小径部１７ａが嵌合されている。
スプ−ル軸１７にはスプ−ル５が嵌合固定されている。
【００１１】
左側側板３の内側に突出形成された突出部３ｃと筒部３ｅの大径の凹部３ｆ内側と突出部３ｈの外周の間の空間には制動装置Ｂの回動制動体６が嵌合されている。
回動制動体６は筒状に形成されて外側に円弧状の案内孔３ｇに挿入される操作部６ａが突出形成されている。
円弧状の案内孔３ｇの孔位置は図３で破線で示された回動制動体６外周の下側に穿設されている。
回動制動体６の筒部内側には制動装置Ｂの磁石１８が嵌合固定されている。
磁石１２と磁石１８の間には空間が設けられてスプ−ル軸１７に固定された磁気制動環体１９の筒部１９ａが挿入される。
突出部３ｃに中心に向かう孔３ｊを形成すると共に孔３ｊの外側に固定部３ｋを形成する。
孔３ｊの中にはクリック用弾性片２０を挿入して固定部３ｋに一端を固定する。
回動制動体６の筒部外周にはクリック歯６ｂを形成してクリック用弾性片２０を係合することで回動制動体６が自由に回動することを防止する。
回動制動体６はスプ−ル軸１７と同芯円状に設けると共に、回動制動体６とスプ−ル軸１７の中心ａ′を図３で側面丸形のリ−ル本体Ａ（左側側板３）の中心ａに対して上方ｂでかつ後方ｃに偏倚配置してスプ−ル５を有するスプ−ル軸１７を揺動中心として操作部６ａで揺動操作される。
【００１２】
フレ−ム１の両側枠部１ａ、１ｂは図示しない支柱とリ−ル脚１ｍの図示しない固定板が一体的に、かつ両側枠部１ａ、１ｂが平行に保持されている。
両側枠部１ａ、１ｂ間にはスプ−ル軸１７に固定されたスプ−ル５が回転可能に支持され、スプ−ル軸１７は右側枠部１ａ側の軸筒１ｎ内に取り付けられた他方の軸受２１と左側側板３の筒部３ｉの内側の軸受１６で回転可能に軸承されている。
右側枠部１ａ側の軸筒１ｎ内に取り付けられた他の軸受２２でピニオン７の大径の軸筒７ａが、右側側板２側の軸筒２３内に取り付けられた軸受２４でピニオン７の小径の軸筒７ｂが夫々回転自在にかつ軸方向に移動可能に軸承されている。
ピニオン７の中心孔７ｃに押圧軸杆２５が軸方向に移動可能に嵌合されている。
軸受２１から右側に突出した小径部にはクラッチ機構を構成するピンからなる係合突起２６が固定されると共に小径部はピニオン７の大径孔７ｄに挿入されて押圧軸杆２５の一側が当接されている。
ピニオン７の大径の軸筒７ａの一側端面にはクラッチ機構を構成する係合溝７ｅが軸芯に直交するように形成され、係合突起２６は係合溝７ｅに係脱自在に挿入されている。
右側側板２側の軸筒２３の外側外周にはネジ部が形成されて押圧ツマミ２７が螺合され、押圧ツマミ２７内に小判形の回り止め凹部が形成されて押圧軸杆２５の他側の回り止め部が係合されると共に押圧軸杆２５の他側端は押圧ツマミ２７内のスラスト軸受２８に当接されている。
【００１３】
ピニオン７の大径の軸筒７ａの外周にピニオン歯７ｆと周溝７ｇが形成されている。
ピニオン歯７ｆには駆動軸８に嵌合された駆動歯車２９が噛合されている。
周溝７ｇにはクラッチ機構を構成する作動板３０が係合されている。
右側枠部１ａの外側には支柱３１が固定されて作動板３０と発条３２が挿入され、作動板３０は発条３２でスプ−ル軸１７の係合突起２６とピニオン７の係合溝７ｅが係合される方向に付勢されている。
駆動軸８は右側枠部１ａに設けられた軸受３３と右側側板２に取り付けられた駆動支持部３４に軸方向に移動自在に支持された軸受３５で軸承され、軸受３５の右外側の駆動軸８にはネジ部８ａが形成されてドラグ調整ツマミ３６が螺合されている。
ドラグ調整ツマミ３６の筒部は発条板３７、３８を介して軸受３５に当接されている。
駆動軸８には軸受３３に嵌合される大径部８ｂと小径部８ｃと鍔部８ｄと小判形の回り止め部８ｅとネジ部８ｆとが形成されている。
軸受３３は右側枠部１ａの凹部に挿入されて抜け止め板３９で抜け止めされている。
大径部８ｂの一端はスラスト軸受４０に当接されている。
回り止め部８ｅの外周には爪車４１と摩擦板４２と駆動歯車２９と押圧板４３とカラ−４４が嵌合され、爪車４１と押圧板４３とカラ−４４は駆動軸８に回り止め嵌合されている。
ネジ部８ｆにはハンドル４５とナット４６が螺合されている。
ナット４６はナットカバ−４７の回り止め部４７ａで回り止めされ、ナットカバ−４７の係止部４７ｂはハンドル４５の係止孔に挿入されて係止されている。
【００１４】
駆動歯車２９と押圧板４３の間には摩擦部材４８が挾み込まれてドラグ制動機構が構成されている。
カラ−４４の外周にはころがり式一方向クラッチＣの複数個の棒状ころがり部材４９が載せられている。
ころがり式一方向クラッチＣは駆動支持部３４の中に支持されている。
ころがり式一方向クラッチＣによってスプ−ル５に図示しない釣糸が巻回される方向にハンドル４５が回転可能で、ハンドル４５は逆方向に回転不能に構成されている。
駆動支持部３４のドラグ調整ツマミ３６側端部の外周には略環状のカバ−体５０が嵌合され、右側側板２の係止孔２ａにカバ−体５０の係止部５０ａが挿入されてカシメ係止されている。
カバ−体５０によって棒状ころがり部材４９位置の外周が突出形成された異形の駆動支持部３４は覆われていると共に右側側板２に補強支持されている。
【００１５】
制動装置Ｂの制動力が調節される時は、左側側板３の外側表面に向けて穿設された円弧状の案内孔３ｇから突出する回動制動体６の操作部６ａの位置を揺動操作して磁気制動環体１９の筒部１９ａを挟んで対向する磁石１２と磁石１８の対向位置を変化させて調節する。
【００１６】
前記のように魚釣用リ−ルが構成されると、制動装置Ｂの制動力を調節する回動制動体６の中心ａ′を、スプ−ル軸１７位置である反ハンドル側左側側板３の中心ａより上方ｂかつ後方ｃに偏倚配置した位置に回転操作可能に設けてこの回動制動体６に操作部６ａを設ける構成として案内孔３ｇより操作部６ａを表面に突出させたので、握持保持する手の指が接触し難い位置となり、制動位置を変化させてしまう不具合や操作部６ａが手に当たって違和感が生じ保持性を低下させてしまう等の問題が解消される。
リ−ル本体Ａ側の制動装置Ｂ及び操作部６ａを、フレ−ム１に着脱可能な側板に一体的にユニット化できるので、組み込み性及びメンテナンス性が向上する。
【実施例２】
【００１７】
図６は第２実施例で、図６は魚釣用リ−ルの反ハンドル側の外観側面図である。
【００１８】
第２実施例では、回動制動体６の中心ａ′が第１実施例と同じ反ハンドル側左側側板３の中心ａの上方ｂでかつ後方ｃに偏倚配置され、回動制動体６の操作部６ａを揺動操作可能に設ける円弧状の案内孔３ｍの孔位置は図６で破線で示された回動制動体６外周のリ−ル脚１ｍと反対側の上側の前側に穿設されている。
他の構成は前記第１実施例と略同一である。
【実施例３】
【００１９】
図７は第３実施例で、図７は魚釣用リ−ルの反ハンドル側の外観側面図である。
【００２０】
第３実施例では、回動制動体６の中心ａ′が第１実施例と同じ反ハンドル側左側側板３の中心ａの上方ｂでかつ後方ｃに偏倚配置され、回動制動体６の操作部６ａを揺動操作可能に設ける円弧状の案内孔３ｎの孔位置は図７で破線で示された回動制動体６外周のリ−ル脚１ｍと反対側の上側の釣糸繰出し方向と反対側の後側に穿設されている。
他の構成は前記第１実施例と略同一である。
【産業上の利用可能性】
【００２１】
本発明は、前述した実施形態に限定されることなく、その要旨を逸脱しない範囲で種々変形実施できることは言うまでもない。
【図面の簡単な説明】
【００２２】
【図１】第１実施例で、魚釣用リ−ルの断面平面図である。
【図２】同魚釣用リ−ルの反ハンドル側の拡大平面図である。
【図３】同魚釣用リ−ルの反ハンドル側の外観側面図と一部拡大外観側面図である。
【図４】同魚釣用リ−ルの反ハンドル側のフレ−ムの一部断面側面図と要部拡大一部断面側面図である。
【図５】同魚釣用リ−ルのハンドル側の拡大平面図である。
【図６】第２実施例で、魚釣用リ−ルの反ハンドル側の外観側面図と一部拡大外観側面図である。
【図７】第３実施例で、魚釣用リ−ルの反ハンドル側の外観側面図と一部拡大外観側面図である。
【符号の説明】
【００２３】
Ａ  リ−ル本体
Ｂ  制動装置
１  フレ−ム
２、３  側板
３ｇ、３ｍ、３ｎ  案内孔
５  スプ−ル
６  回動制動体
６ａ  操作部
１７  スプ−ル軸
【図１】
2008182915.tif 000003
【図２】
2008182915.tif 000004
【図３】
2008182915.tif 000005
【図４】
2008182915.tif 000006
【図５】
2008182915.tif 000007
【図６】
2008182915.tif 000008
【図７】
2008182915.tif 000009